【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
受信され、電子透かしが埋め込まれているオーディオ又はビデオ信号にリファレンスパターンが存在するか否かを判定する方法であって、
前記リファレンスパターンに一致する少なくとも１つの候補となるリファレンスパターンは、前記受信され、電子透かしが埋め込まれているオーディオ又はビデオ信号と相関付けられ、対応する相関結果の振幅のピークがチェックされ、
当該方法は、
前記受信された信号の現在のセクションについて、前記リファレンスパターンのそれぞれ１つとの相関を計算するステップと、
相関結果の振幅値において、メインピークで示される現在の相関結果の振幅値の絶対値が第一の閾値よりも大きく、前記メインピークの絶対値がその左隣の相関結果の振幅値の絶対値よりも大きく、その右隣の相関結果の振幅値の絶対値よりも大きい値のグループを発見するステップと、
前記メインピークのそれぞれ１つの予め決定された周辺において、更なるピークのそれぞれのピークについて、現在の相関結果の振幅値の絶対値が前記第一の閾値よりも小さい第二の閾値よりも大きく、更なるピークのそれぞれについて、その絶対値がその左隣の相関結果の振幅値の絶対値よりも大きく、その右隣の相関結果の振幅値の絶対値よりも大きい更なるピークを発見するステップと、
前記値のグループのそれぞれ１つについて、グループ当たりの合計値を形成するため、前記メインピーク及び前記更なるピークの絶対値を結合するステップと、
前記リファレンスパターンのそれぞれ１つについて、前記グループの合計値のうちの最大の値を決定し、これら最大値のうちの最も大きな値が予め決定された又は可変の閾値を超える場合、対応するリファレンスパターンが前記受信されたオーディオ又はビデオ信号に存在すると判定するステップと、
を含むことを特徴とする方法。
【請求項２】
相関結果の振幅値の代わりに、正規化された相関結果の振幅値がピーク値を決定するために使用される、
請求項１記載の方法。
【請求項３】
前記結合において、左のメインピーク及び更なるピーク、並びに右のメインピーク及び更なるピークへの予め決定された近傍のレンジに位置される相関結果の振幅の絶対値であって、第三の閾値を超える相関結果の振幅の絶対値が含まれ、
ノイズを表す第四の閾値の減算に続いて相関結果の振幅の対応する絶対値が結合され、
前記第三の閾値は、前記第四の閾値よりも大きい、
請求項１又は２記載の方法。
【請求項４】
前記予め決定された周辺は、非対称であり、ｔ1サンプルだけ左に延び、ｔ2サンプルだけ右に延びる、
請求項１乃至３の何れか記載の方法。
【請求項５】
前記予め決定された又は可変の閾値、前記第一の閾値、前記第二の閾値、前記第三の閾値、前記第四の閾値、及び前記サンプル値ｔ1〜ｔ4は予め決定されているか、前記受信された信号におけるエコー及び反響音パラメータに依存して処理の間に調整される、
請求項４記載の方法。
【請求項６】
前記予め決定された近隣のレンジは、ｔ3サンプルだけ左に延び、ｔ3サンプルだけ右に延びる、
請求項３記載の方法。
【請求項７】
前記予め決定された又は可変の閾値、前記第一の閾値、前記第二の閾値、前記第三の閾値、前記第四の閾値、及び前記サンプル値ｔ3は予め決定されているか、前記受信された信号におけるエコー及び反響音パラメータに依存して処理の間に調整される、
請求項６記載の方法。
【請求項８】
前記予め決定された近隣のレンジは、非対称であり、ｔ3又はｔ4サンプルだけ左に延び、ｔ3又はｔ4サンプルだけ右に延びる、
請求項３記載の方法。
【請求項９】
前記予め決定された又は可変の閾値、前記第一の閾値、前記第二の閾値、前記第三の閾値、前記第四の閾値、及び前記サンプル値ｔ3及びｔ4は予め決定されているか、前記受信された信号におけるエコー及び反響音パラメータに依存して処理の間に調整される、
請求項８記載の方法。
【請求項１０】
前記相関値が計算される前に、前記受信された信号はスペクトル成形及び／又はホワイトニングされる、
請求項１乃至９の何れか記載の方法。
【請求項１１】
受信され、電子透かしが埋め込まれているオーディオ又はビデオ信号にリファレンスパターンが存在するか否かを判定する装置であって、
前記リファレンスパターンに一致する少なくとも１つの候補となるリファレンスパターンは、前記受信され、電子透かしが埋め込まれているオーディオ又はビデオ信号と相関付けられ、対応する相関結果の振幅のピークがチェックされ、
当該装置は、
前記受信された信号の現在のセクションについて、前記リファレンスパターンのそれぞれ１つとの相関を計算する手段と、
相関結果の振幅値において、メインピークで示される現在の相関結果の振幅値の絶対値が第一の閾値よりも大きく、前記メインピークの絶対値がその左隣の相関結果の振幅値の絶対値よりも大きく、その右隣の相関結果の振幅値の絶対値よりも大きい値を発見する手段と、
前記メインピークのそれぞれ１つの予め決定された周辺において、更なるピークのそれぞれのピークについて、現在の相関結果の振幅値の絶対値が前記第一の閾値よりも小さい第二の閾値よりも大きく、更なるピークのそれぞれについて、その絶対値がその左隣の相関結果の振幅値の絶対値よりも大きく、その右隣の相関結果の振幅値の絶対値よりも大きい更なるピークを発見する手段と、
前記値のグループのそれぞれ１つについて、グループ当たりの合計値を形成するため、前記メインピーク及び前記更なるピークの絶対値を結合する手段と、
前記リファレンスパターンのそれぞれ１つについて、前記グループの合計値のうちの最大の値を決定し、これら最大値のうちの最も大きな値が予め決定された又は可変の閾値を超える場合、対応するリファレンスパターンは受信されたオーディオ又はビデオ信号に存在すると判定する手段と、
を有することを特徴とする装置。
【請求項１２】
相関結果の振幅値の代わりに、正規化された相関結果の振幅値がピーク値を決定するために使用される、
請求項１１記載の装置。
【請求項１３】
前記結合において、左のメインピーク及び更なるピーク、並びに右のメインピーク及び更なるピークへの予め決定された近傍のレンジに位置される相関結果の振幅の絶対値であって、第三の閾値を超える相関結果の振幅の絶対値が含まれ、
ノイズを表す第四の閾値の減算に続いて相関結果の振幅の対応する絶対値が結合され、
前記第三の閾値は、前記第四の閾値よりも大きい、
請求項１１又は１２記載の装置。
【請求項１４】
前記予め決定された周辺は、非対称であり、ｔ1サンプルだけ左に延び、ｔ2サンプルだけ右に延びる、
請求項１１乃至１３の何れか記載の装置。
【請求項１５】
前記予め決定された又は可変の閾値、前記第一の閾値、前記第二の閾値、前記第三の閾値、前記第四の閾値、及び前記サンプル値ｔ1〜ｔ4は予め決定されているか、前記受信された信号におけるエコー及び反響音パラメータに依存して処理の間に調整される、
請求項１４記載の装置。
【請求項１６】
前記予め決定された近隣のレンジは、ｔ3サンプルだけ左に延び、ｔ3サンプルだけ右に延びる、
請求項１３記載の装置。
【請求項１７】
前記予め決定された又は可変の閾値、前記第一の閾値、前記第二の閾値、前記第三の閾値、前記第四の閾値、及び前記サンプル値ｔ3は予め決定されているか、前記受信された信号におけるエコー及び反響音パラメータに依存して処理の間に調整される、
請求項１６記載の装置。
【請求項１８】
前記予め決定された近隣のレンジは、非対称であり、ｔ3又はｔ4サンプルだけ左に延び、ｔ3又はｔ4サンプルだけ右に延びる、
請求項１３記載の装置。
【請求項１９】
前記予め決定された又は可変の閾値、前記第一の閾値、前記第二の閾値、前記第三の閾値、前記第四の閾値、及び前記サンプル値ｔ3及びｔ4は予め決定されているか、前記受信された信号におけるエコー及び反響音パラメータに依存して処理の間に調整される、
請求項１８記載の装置。
【請求項２０】
前記相関値が計算される前に、前記受信された信号はスペクトル成形及び／又はホワイトニングされる、
請求項１１乃至１９の何れか記載の装置。